(57)【要約】【課題】蓋体を備えた皿に白米を収容し、熱風による加熱により炊飯可能な加熱調理器を提供する。【解決手段】本発明の加熱調理機は、被調理物を収納する調理室２と、調理室２内に熱風を循環供給する熱風ユニット１３と、前記被調理物を収容して調理室２内に収納可能な深皿９と、を備え、深皿９が蓋体を備えている。【選択図】図１
2019027702.tif 000002
【特許請求の範囲】
【請求項１】
被調理物を収納する調理室と、
前記調理室内に熱風を循環供給する熱風ユニットと、
前記被調理物を収容して前記調理室内に収容可能な皿と、を備え、
前記皿が蓋体を備えることを特徴とする加熱調理器。
【請求項２】
前記調理室に前記皿を収納したときに、前記皿の下方に前記熱風が循環可能な空間を設けたことを特徴とする請求項１に記載の加熱調理器。
【請求項３】
前記調理室内を１５０℃以上に加熱可能であることを特徴とする請求項１又は２に記載の加熱調理器。
【請求項４】
前記調理室内の温度と前記調理室内に収納した前記皿及び前記蓋体の温度とを検出する温度検出手段を備え、
前記温度検出手段により検出した温度に基づいて前記熱風ユニットを制御する加熱制御が可能であり、
白米の炊飯工程である予熱、加熱、沸騰継続、炊き上げ及び蒸らしの各工程時間と前記加熱制御により白米の炊飯を行う構成としたことを特徴とする請求項１〜３のいずれか１項に記載の加熱調理器。
【請求項５】
前記熱風ユニットが空気を加熱する加熱手段と、前記熱風を前記調理室内に流入させる熱風ファンと、を備え、
前記加熱制御を前記加熱手段による加熱量及び前記熱風ファンの回転数により行うことを特徴とする請求項４に記載の加熱調理器。
【請求項６】
炊飯量選択手段を備え、前記炊飯量に応じて前記加熱制御のパターンを変更可能であることを特徴とする請求項４又は５に記載の加熱調理器。
【請求項７】
前記調理室の天井壁の内面をドーム状に形成したことを特徴とする請求項１〜６のいずれか１項に記載の加熱調理器。
【発明の詳細な説明】
【技術分野】
【０００１】
本発明は、被調理物を収容した皿に蓋体をし、調理室内に収容して被調理物を加熱調理可能な加熱調理器に関する。
【背景技術】
【０００２】
従来、食品等の被加熱物を加熱調理するものとして、加熱した空気を調理室内に供給し、調理室内に収容された被加熱物を加熱調理するオーブン加熱機能と、高周波（マイクロ波）を調理室内に供給して被加熱物を加熱調理するレンジ加熱機能を備えた加熱調理器が知られている（例えば、特許文献１）。この加熱調理器には、調理室内に配置され、被加熱物を収容する加熱皿が具備されている。
【０００３】
加熱皿に被加熱物を収容し、オーブン加熱により調理を行うと被加熱物には高温の熱風が吹き付けられ、表面を焼き上げるような仕上がりとなる。そのため、オーブン加熱によりご飯メニューを調理する場合には、例えば、石焼ビビンバ風炊き込みごはん、海鮮パエリア、焼きリゾット等、表面に焼き目を付けるようなメニューが対象となる。
【０００４】
また、レンジ加熱により調理を行う場合には、もち米を耐熱ガラス製ボウルに入れ、クッキングシート等で落し蓋をすることにより、おこわを調理することは可能である。
【先行技術文献】
【特許文献】
【０００５】
【特許文献１】特開２０１０−２１７０号公報
【発明の概要】
【発明が解決しようとする課題】
【０００６】
しかしながら、前記加熱調理器により白米を炊飯する場合には、オーブン加熱を使用すると、表面が乾燥したり焦げたりするため、食感の良いご飯の炊き上げが非常に困難であった。
【０００７】
また、レンジ加熱を使用した場合には、炊飯工程毎の白米及び水の温度調整が困難であることから、もち米の炊き上げは可能であるものの、通常の白米の炊き上げは困難であった。
【０００８】
そこで、本発明は蓋体を備えた皿に白米を収容し、熱風による加熱により炊飯可能な加熱調理器を提供することを目的とする。
【課題を解決するための手段】
【０００９】
請求項１の発明では、被調理物を収納する調理室と、前記調理室内に熱風を循環供給する熱風ユニットと、前記被調理物を収容して前記調理室内に収容可能な皿と、を備え、前記皿が蓋体を備えることを特徴とする。
【００１０】
請求項２の発明では、前記調理室に前記皿を収納したときに、前記皿の下方に前記熱風が循環可能な空間を設けたことを特徴とする。
【００１１】
請求項３の発明では、前記調理室内を１５０℃以上に加熱可能であることを特徴とする。
【００１２】
請求項４の発明では、前記調理室内の温度と前記調理室内に収納した前記皿及び前記蓋体の温度とを検出する温度検出手段を備え、前記温度検出手段により検出した温度に基づいて前記熱風ユニットを制御する加熱制御が可能であり、白米の炊飯工程である予熱、加熱、沸騰継続、炊き上げ及び蒸らしの各工程時間と前記加熱制御により白米の炊飯を行う構成としたことを特徴とする。
【００１３】
請求項５の発明では、前記熱風ユニットが空気を加熱する加熱手段と、前記熱風を前記調理室内に流入させる熱風ファンと、を備え、前記加熱制御を前記加熱手段による加熱量及び前記熱風ファンの回転数により行うことを特徴とする。
【００１４】
請求項６の発明では、炊飯量選択手段を備え、前記炊飯量に応じて前記加熱制御のパターンを変更可能であることを特徴とする。
【００１５】
請求項７の発明では、前記調理室の天井壁の内面をドーム状に形成したことを特徴とする請求項１〜６のいずれか１項に記載の加熱調理器。被調理物を収容する調理室と、前記調理室内に熱風を循環供給する熱風循環ユニットと、前記被調理物を収容して前記調理室内に収容可能な皿と、を備え、前記皿が蓋体を備えることを特徴とする。
【発明の効果】
【００１６】
請求項１の発明によれば、被調理物を収容した皿に蓋体をすることにより、オーブン加熱を使用して焼き調理以外の煮物や蒸し料理の調理が可能となる。
【００１７】
請求項２の発明によれば、被調理物を収容した皿の周囲に熱風を循環させ、皿を全体的に加熱することができる。
【００１８】
請求項３の発明によれば、米を収容した皿及び蓋体を炊飯に必要な温度まで加熱することができる。
【００１９】
請求項４の発明によれば、白米の炊飯をすることができる。
【００２０】
請求項５の発明によれば、被調理物の加熱を制御することができる。
【００２１】
請求項６の発明によれば、米の量に応じた適切な加熱を行うことができる。
【００２２】
請求項７の発明によれば、調理室の内部で熱風の循環を良くすることができる。
【図面の簡単な説明】
【００２３】
【図１】本発明の一実施形態を示す加熱調理器の基本的構成となる扉を開いた状態の正面図である。
【図２】同上、調理用の深皿の斜視図である。
【図３】同上、調理用の深皿の要部断面図である。
【図４】同上、加熱調理器における熱風ユニットの内部説明図である。
【図５】同上、加熱調理器における上ヒータ及び下ヒータの内部説明図である。
【図６】同上、加熱調理器におけるスチームユニットの内部説明図である。
【図７】同上、電気的構成を示すブロック図である。
【図８】同上、加熱調理器の内部構造を示す概略断面図である。
【図９】同上、調理用の深皿の蓋体の斜視図である。
【図１０】同上、蓋体をした調理用の深皿の斜視図である。
【図１１】同上、調理用の浅皿の斜視図である。
【図１２】同上、蓋体をしない場合の温度変化を示すグラフである。
【図１３】同上、蓋体をした場合の温度変化を示すグラフである。
【図１４】他の実施形態を示す調理用の深皿の斜視図である。
【図１５】同上、調理用の深皿の要部断面図である。
【発明を実施するための形態】
【００２４】
以下、本発明における好ましい加熱調理器の実施形態について、添付図面を参照して説明する。なお、これらの全図面にわたり、共通する部分には共通する符号を付すものとする。
【００２５】
図１〜図１１は、本発明の一実施形態における加熱調理器を示している。先ず、加熱調理器の基本的な構成を説明すると、１は加熱調理器の外郭をなす本体であり、本体１の内部には、被調理物である食品を収納して加熱調理する調理室２が配設される。本体１は略矩形箱状で、調理室２の内部に食品を出し入れするために、本体１の前面には開閉可能な扉３が配設される。調理室２を形成する周壁は、天井壁２ａと、底壁２ｂと、左側壁２ｃと、右側壁２ｄと、奥壁２ｅとからなる。天井壁２ａは上方に向けて凸形をなすドーム状である一方で、天井壁２ａを除く各壁２ｂ〜２ｅは何れも平坦状に形成されている。
【００２６】
調理室２の奥壁２ｅは、その中央に吸込み口４を備えており、吸込み口４の上下には横長の熱風吹出し口５，６を備えている。また、調理室２の天井壁２ａには調理室２の上方から食品を加熱する上ヒータ７が埋設され、調理室２の底壁２ｂには調理室２の下方から食品を加熱する下ヒータ８が埋設されている。
【００２７】
本実施形態の加熱調理器は、例えばご飯メニューや煮物等の食品を収容する皿である深皿９と、例えばパンやクッキー等の食品を収容する浅皿１０を具備しており、被調理物の種類や加熱手段を考慮して適宜選択することができる。そして、左側壁２ｃと右側壁２ｄには、深皿９及び浅皿１０を保持するための左右一対の棚支え１１，１２が上下に設けられている。
【００２８】
図４に示すように、１３は本体１の内部において、調理室２の後方に具備される熱風ユニットである。この熱風ユニット１３は、空気を加熱する加熱手段としての熱風ヒータ１４と、調理室２内に加熱した空気を送り込んで循環させる遠心ファンとしての熱風ファン１５と、熱風ファン１５を正方向或いは逆方向に回転させる熱風モータ１６とにより構成されている。
【００２９】
熱風ユニット１３内の略中央には、吸込み口４に対向して熱風ファン１５を具備し、その周囲に熱風ヒータ１４を配置しており、熱風モータ１６への通電に伴い熱風ファン１５が回転駆動すると、調理室２の内部から吸込み口４を通して吸引された空気が熱風ファン１５の放射方向に吹き出し、熱風ヒータ１４により加熱され、熱風吹出し口５，６を通過して調理室２内に熱風が供給される。これにより、調理室２の内外で熱風を循環させる経路が形成され、調理室２内の食品を加熱調理する構成となっている。なお、熱風ユニット１３はケース１７に収納されている。
【００３０】
また前述のように、調理室２には上ヒータ７及び下ヒータ８が設けられており、この上ヒータ７及び下ヒータ８への通電により、図５の矢印Ｈで示す赤外線による熱放射が、深皿９や浅皿１０を収納した調理室２内の密閉した空間で発生することにより、調理室２内の食品を加熱調理する構成となっている。
【００３１】
図６に示すように、１８は本体１の内部において、調理室２の側方に具備されるスチームユニットである。このスチームユニット１８は、本体１の下部に水タンク１９を設け、この水タンク１９内の水を送水するポンプ２０及び給水管２１を介して、スチーム発生器２２に連通接続した構成としている。
【００３２】
スチーム発生器２２は、シーズヒータ２３をアルミダイキャスト製で中空の蒸発容器２４に埋設し、且つその中空部に前記給水管２１を接続して、蒸発容器２４内に供給された水をシーズヒータ２３への通電により加熱してスチームを発生させ、これを調理室２の左側壁２ｃに形成された複数のスチーム吹出し口２５から、調理室２内に供給できるように構成されており、これにより図６の破線Ｇで示すようなスチームの流れを調理室２内に発生させ、調理室２内の食品を加熱調理する構成となっている。
【００３３】
図７に示すように、２６は調理室２の底壁２ｂの下方に設けられ、調理室２の下方から食品にマイクロ波を照射してレンジ加熱を行なうマイクロ波加熱手段である。マイクロ波加熱手段２６は、マイクロ波を発生させる発生源となるマグネトロン２７と、マグネトロン２７からのマイクロ波を調理室２の内部に導く導波管２８と、導波管２８からオーブン庫２にマイクロ波を放射するアンテナ２９と、直立した軸３０を中心にアンテナ２９を水平回転させるＡＣモータ等のアンテナモータ３１と、アンテナ２９の近傍に取り付けられるマイクロスイッチ３２とを有して構成されている。
【００３４】
図８は、上記加熱調理器の電気的構成を示している。同図において、３３は加熱調理器の各部を制御する制御部で、これは演算処理手段としてのＣＰＵや、記憶手段としてのメモリや、入出力デバイス等を備えており、制御部３３の入力ポートには、調理室２内の温度を検知するサーミスタ（図示せず）を備えた温度検出手段としての庫内温度検出手段３４や、赤外線センサ（図示せず）にスイング機構を装備して構成され、調理室２内の温度分布を検出することで、そこに収容された被加熱物の温度を検出可能にする温度検出手段としての庫内温度分布検出手段３５の他に、本体１の前面に設けられる操作部３６が電気的に接続されている。また制御部３３の出力ポートには、上ヒータ７及び下ヒータ８、熱風ユニット１３を構成する熱風ヒータ１４及び熱風モータ１６、スチームユニット１８を構成するポンプ１８及びシーズヒータ２３、マイクロ波加熱手段２６を構成するマグネトロン２７及びアンテナモータ３１の他に、本体１の前面に設けられる表示部３７が電気的に接続されている。制御部３３は、操作部３６からの選択指示によりメモリに内蔵するプログラムを読み出して、加熱手段である熱風ユニット１３、スチームユニット１８、上ヒータ７、下ヒータ８及びマイクロ波加熱手段２６を制御して、調理室２内の食品を調理する加熱制御手段としての機能を処理実行する構成となっている。
【００３５】
制御部３３に組み込まれた加熱制御手段は、加熱を行う加熱手段、予熱の有無、調理室２内の設定温度等をあらかじめ操作部３６で選択し、その選択した条件に基づいて調理室２内の食品を加熱調理する手動調理制御手段の他に、操作部３６で選択された調理メニューに応じて、加熱手段を自動的に制御して、調理時間までに調理室２内の食品を加熱調理する自動メニュー調理制御手段を備えている。
【００３６】
次に、本実施形態の加熱調理器が備える金属製の調理用皿となる有底角形の深皿９を、図２及び図３を参照してより詳しく説明する。
【００３７】
まず、深皿９の外形形状に関し、深皿９は平面視略矩形状を有し、汁物等も収容可能に上方が開口した有底凹状に形成されている。深皿９は、４０ｍｍ以上好ましくは５０ｍｍ程度の深さＡを有する。また深皿９は、その上端周縁部に３０ｍｍ以上好ましくは３５ｍｍ程度の幅Ｂを有するフランジ部４１を、水平方向に延出して一体に形成している。さらに、深皿９は、底部４２よりも開口部４３の方が広くなるように、底部４２とフランジ部４１との間に傾斜した側壁部４４が形成されている。フランジ部４１が棚支え１１，１２に載ることで、調理室２内に深皿９が吊設状態で収容される。
【００３８】
深皿９は、５０ｍｍ程度の深さＡを有することで、深皿９に入れた食品となる煮物を、熱風ユニット１３や上ヒータ７及び下ヒータ８による調理室２への加熱で、３５０℃程度の高温で煮込んだ場合でも煮こぼれなく調理加熱することができる。また、フランジ部４１の幅Ｂが３５ｍｍ程度あるため、煮込み中の沸騰による周辺の飛び散りも防ぐことができ、幅広のフランジ部４１により持ちやすさも良好で、しかも熱風ユニット１３を動作させたときに、熱風吹出し口５，６から深皿９に載せた食品までの距離をある程度確保することで、加熱調理に伴う食品の焦げを防止できる。なお、ここでいう３５０℃とは、ＪＩＳの測定法に基づき、調理室２内が空の状態で、その中心部を熱電温度計法により測定したときの温度であり、食品を収容した状態の深皿９の温度はこれよりも低くなる。
【００３９】
次に、深皿９の表面処理や材質に関し、深皿９の金属製母材の表面に２５０℃以上の高温に耐える処理層を形成してもよく、この処理層は例えばホーロー層、セラミックコーティング層等が好ましく、この処理層によって外観を綺麗にし、特にセラミックコーティング層では清掃性に優れた衛生的な深皿９になる。また、別な処理層として、アルミナセラミックの微粉体を主成分とする有機化合物を含まない無機質素材の非粘着性の塗膜を形成してもよい。これは有害ガスが発生せず、また汚れの付着の心配もない。
【００４０】
深皿９の金属製母材は、熱伝導良好材としてアルミニウムを選定するのが好ましく、特に２５０℃以上の高温に耐えるアルミニウム材として、例えばＡ３００３，Ａ３００４等の耐熱性や耐食性に優れたアルミ二ウム材を選定するのが望ましい。金属製母材としてアルミニウム板を選定することで、他のステンレス、鋼板、ホーロー等と比べて、軽量化を図ることができる。また、熱伝導がよくなり、軽量化することで、角形の皿である深皿９の温度ムラや、深皿９の上面からの熱放射ムラが低減し、深皿９の速熱性が良好となる。そして、この場合の処理層は、ゾル−ゲル法によるセラミックスコートやプロシキサン系塗料のコーティング等により、２５０℃以上の高温でも非粘着性を有し傷が付き難く、４００℃以上の高温空間内でも有害ガスの発生が無いコーティング層を形成する。これにより、金属製母材となるアルミニウムの表面硬度を向上させ、傷がつきにくく、アルミニウムの温度ムラを低減し、深皿９の上面となるコーティングによる処理層からの熱放射が良好になり、ムラの少ない角皿上方への熱放射が実現できる。
【００４１】
深皿９の厚みは１ｍｍより小さく、底部４２の８０％以上が平坦となることが望ましい。これは、深皿９を１ｍｍ以上の材料厚さにすると、重量が重くなり、使用性が悪くなるだけでなく、重量増に伴って深皿９としての熱容量も増大し、使用時に調理前の予熱時間（深皿９が調理室２内で温まる時間）が長くなるからである。また、食品を載せる深皿９の上面の殆ど（８０％以上）を平坦とすることで、深皿９の上面で食品となるパンが滑り落ちたり、茶碗蒸し器が傾いたりすることがなく、深皿９を容器として各種の調理に有効に利用できる。
【００４２】
深皿９の金属製母材は、他に鋼製、チタン製等でもよい。また、他の実施形態を示す図１４及び図１５のように、深皿９の底部４２の外周部には、深皿９を床面等に置く場合に床面等に接する周縁部４５を設けてもよい。これにより、高温による底部４２の変形を防止できると共に、深皿９を床面等に置く場合に、深皿９の周縁部４５にのみ床面等が接して、深皿９が簡単に回転することも防止できる。さらに、図１５に示すように、フランジ部４１の外端にバリ防止のためのカール部４６を設けてもよい。
【００４３】
図９及び図１０に示すように、深皿９は蓋体４７を備えている。蓋体４７は、平面視略矩形状に形成され、上面の中央部には円柱状に形成された把持部４８が設けられている。また、蓋体４７には、蓋体４７を貫通して穿設された蒸気孔４９が形成されており、深皿９に蓋体４７をした状態で加熱調理等する際に、この蒸気孔４９から深皿９内の蒸気が排出可能となっている。
【００４４】
蓋体４７は、深皿９の開口部４３を閉塞するものであり、深皿９の側壁部４４に載置可能な大きさに形成されている。蓋体４７は把持部４８を除き、深皿９と同一材料により形成されている。把持部４８は、フェノール樹脂等の熱硬化性樹脂により形成されている。なお、把持部４８の形状は円柱状に限らず、把持可能な形状であれば所望の形状とすることができる。
【００４５】
蓋体４７を水平状態で深皿９の側壁部４４に載置すると、蓋体４７の外周端部５０の全周が側壁部４４に当接し、深皿９の開口部４３を閉塞する。なお、蓋体４７を載置する上下方向の位置は、蓋体４７の大きさと側壁部４４の傾斜角度によって決定することができる。
【００４６】
次に、浅皿１０について説明する。図１１に示すように、浅皿１０は平面視略矩形状を有し、上方が開口した深皿９よりも深さが浅い有底凹状で、その他は無孔に形成される収容部５１と、この収容部５１の上端より外側水平方向に延設するフランジ部５２により構成される。フランジ部５２には、熱風が通過可能な複数のスリット５３が穿設されている。浅皿１０は、金属製母材に極小粒子のセラミック含有塗料をコーティングしたものであるが、深皿９と同様に、金属やホーロー等の耐熱性を有する部材により形成してもよい。本実施形態では、フランジ部５２の下面が棚支え１１，１２に載ることで、調理室２内に浅皿１０が吊設状態で収容される。
【００４７】
本実施形態の加熱調理器は、深皿９及び浅皿１０の他に、焼き網（図示せず）を備えている。前記焼き網は、浅皿１０に載置して使用することができ、また、単独で棚支え１１，１２に載せて吊設状態で使用することもできる。
【００４８】
次に、上記構成の加熱調理器について、その作用を詳しく説明する。予め調理室２内に食品を入れた状態で扉３を閉め、操作部３６からの入力により所望の調理メニューや加熱源の設定等、調理条件をセットして運転スタートする。これを受けて制御部３３は、選択設定された熱風ユニット１３によるオーブン調理、又はスチームユニット１８によるスチーム調理あるいは上ヒータ７及び下ヒータ８によるグリル調理、マイクロ波加熱手段２６によるレンジ調理がそれぞれ単独若しくは複合的に行なわれるように、内蔵するタイマー手段の計時を利用して各部の制御を実行する。
【００４９】
熱風ユニット１３によるオーブン加熱で調理を行なう場合は、調理室２の棚支え１１又は棚支え１２に深皿９、浅皿１０又は前記焼き網の何れかをセットし、熱風によるオーブン調理を選択操作した後に、調理開始を指示すると、制御部３３は熱風ファン１５が所望の回転数で正方向又は逆方向に回転駆動するように、熱風モータ１６への入力を制御すると共に、庫内温度検出手段３４からの検知信号を取り込んで、調理室２内が所望の温度となるように熱風ヒータ１４への入力を制御する。
【００５０】
この一連の制御で、熱風ファン１５が正方向又は逆方向に回転すると、調理室２の内部から吸込み口４を通してケース１７の内部空間に吸引された空気が、熱風ファン１５の遠心力によって放射方向に吹き出し、発熱した熱風ヒータ１４に万遍なく当たって、調理室２と隔離されたケース１７の内部空間で熱風が生成される。熱風ヒータ１４に当った熱風は複数の熱風吹出し口５，６を通して、図４の矢印Ｆで示した流れで、調理室２の内部に送り込まれ、深皿９等に収容された食品全体を万遍なく加熱調理することが可能となる。
【００５１】
また、上ヒータ７及び下ヒータ８によるグリル加熱で調理を行なう場合は、図５に示すように調理室２の棚支え１１又は棚支え１２に深皿９、浅皿１０又は前記焼き網の何れかをセットし、ヒータによるオーブン調理を選択操作した後に調理開始を指示すると、制御部３３が上ヒータ７及び下ヒータ８の通電を各々独自に制御し、矢印Ｈのように調理室２内への熱放射を受けて、深皿９、浅皿１０又は前記焼き網に載せられた食品全体を万遍なく加熱調理することが可能となる。
【００５２】
こうした熱風やヒータにより、密閉した調理室２内の食品を調理するオーブンとは別に、スチームユニット１８によるスチーム調理を行なう場合は、図６に示すように調理室２の棚支え１１又は棚支え１２に深皿９、浅皿１０又は前記焼き網の何れかをセットし、スチームによるオーブン調理を選択操作した後に、調理開始を指示すると、制御部３３はスチームユニット１８の作動を制御し、ポンプ２０の動作により水タンク１９内の水が給水管２１を通して蒸発容器２４に供給されてスチームが発生し、スチーム吹き出し口２５から破線Ｇのように調理室２内にスチームを送り込んで、深皿９、浅皿１０又は前記焼き網に載せられた食品全体を万遍なく加熱調理することが可能となる。
【００５３】
次に、マイクロ波加熱手段２６によるレンジ調理に関する動作を説明すると、予め調理室２の底壁２ｂに容器等に収容した食品を載置下状態で、レンジによる調理及び調理時間を選択操作した後に、調理開始を指示すると、選択した出力の範囲で設定した時間、アンテナ２９からマイクロ波が放射されるような制御信号がマイクロ波加熱手段２６に送出され、調理室庫２内の食品を加熱調理する。
【００５４】
ここで、深皿９を使用した白米の炊飯工程について説明する。まず、深皿９内に被調理物として米及び水を入れ、蓋体４７をした後、深皿９を上側の棚支え１１に載置する。扉３を閉め、炊飯量選択手段としての操作部３３の炊飯キーを操作して炊飯する米の量を選択すると、制御部３３に組み込まれた炊飯制御手段３８より熱風ユニット１３の駆動が開始され、炊飯量に応じた加熱制御のパターンによる炊飯工程が開始する。選択できる米の量は、例えば最低量０．５合から０．５合刻みで最大量５合まで等である。熱風ユニット１３の駆動が開始すると、熱風吹出し口５，６から熱風が調理室２内に供給され、熱風が調理室２内を循環する。深皿９は上側の棚支え１１に載置されているため、その下方には熱風が循環するための空間が十分に確保され、深皿９及び蓋体４７が全体的に効率よく加熱される。
【００５５】
炊飯制御手段３８は、深皿９内の米に対する吸水を促進させるために、庫内温度分布検出手段３５による深皿９及び蓋体４７の温度検知に基づき、熱風ヒータ１４と熱風モータ１６を通断電制御して、深皿９及び蓋体４７の全体をそれぞれ加熱し、深皿９内の水温を所定温度（例えば、６０℃）以下で所定時間（例えば、１１分間）保持する工程であるひたしを行なう。
【００５６】
その後、所定時間のひたしが終了し、次の工程である沸騰に移行すると、被調理物の沸騰検知を行なうまでの加熱で、炊飯制御手段３８は熱風ヒータ１４や熱風モータ１６を連続通電することにより、ひたしよりも深皿９内部の被調理物を強く加熱し、深皿９内の水の温度を短時間に沸騰まで上昇させる。
【００５７】
炊飯制御手段３８は、庫内温度分布検出手段３５による深皿９及び蓋体４７の検知温度が所定温度（例えば、９０℃）以上になると、被調理物の沸騰を検知する沸騰検知を開始する。この沸騰の工程中の沸騰検知では、引き続き熱風ヒータ１４や熱風モータ１６を連続通電して、深皿９内部の被調理物を強く加熱する一方で、庫内温度分布検出手段３５の検知温度の傾き（所定の時間に検知温度がどの程度上昇するのか）を算出する。そして、この庫内温度分布検出手段３５の検知温度の傾きが一定値以下になって安定したら、深皿９内の被調理物が沸騰したと判断して、沸騰から次の工程である沸騰継続に移行する。
【００５８】
沸騰継続に移行すると、炊飯制御手段３８は熱風ユニット１３により加熱を継続する。ここでの加熱は、深皿９及び蓋体４７の温度が所定の例えば１００℃になるように、庫内温度分布検出手段３５の検知温度により、熱風ヒータ１４からの加熱量が管理される。
【００５９】
そして炊飯制御手段３８は、沸騰継続で深皿９内部の水が無くなり、庫内温度分布検出手段３５による深皿９及び蓋体４７の検知温度が所定の温度上昇を生じたら、庫内温度分布検出手段３５の検知温度に基づき被調理物の炊き上げを検知する。ここでは、庫内温度分布検出手段３５の検知温度が所定のドライアップ温度に達すると、深皿９内部のご飯の炊き上がりを検知して、沸騰継続から次の工程である蒸らしに移行する。
【００６０】
蒸らし中は、庫内温度分布検出手段３５の検知温度による温度管理によって熱風ヒータ１４を通断電し、深皿９内部のご飯が焦げない程度に高温（９８〜１００℃）が保持されるように、熱風ヒータ１４や熱風モータ１６を通断電して深皿９及び蓋体４７の温度を管理する。蒸らしは所定時間（例えば、１２分）続けられ、蒸らしが終了すると炊飯が終了となる。なお、蒸らし終了後に保温に移行するように、炊飯工程に保温を追加してもよい。
【００６１】
図１２及び図１３は、白米を深皿９により炊飯する場合に、蓋体４７を使用した場合と使用しない場合の各部の温度変化を示している。図１２は、蓋体４７を使用せずに炊飯を行ったものであり、図１３は蓋体４７を使用して炊飯を行ったものである。炊飯は、オーブン加熱により温度を３５０度に設定して加熱を行ったものであるが、蓋体４７の有無により、調理室２内の温度、前記サーミスタ吹きの温度及び深皿９内の米の温度について、大きな違いは生じなかった。特に、深皿９内の水が沸騰するまでの経過時間や、米の温度上昇の傾きも略同一であった。そのため、蓋体４７を使用することでの米の加熱への影響は見られなかった。なお、蓋体４７を使用せずに炊き上げたご飯は表面が乾燥しており、蓋体４７を使用したものと比較して食味が低下していた。
【００６２】
本実施形態では、棚支え５に深皿９を載置し、棚支え６に浅皿１０を載置し、オーブン加熱により同時に加熱調理が可能である。そのため、深皿９で白米を炊飯し、浅皿１０でおかずを加熱調理することで、ご飯とおかずを同時に完成させることができるため、調理時間を短縮することができる。
【００６３】
以上のように、本実施形態では、被調理物を収納する調理室２と、調理室２内に熱風を循環供給する熱風ユニット１３と、被調理物を収容して調理室２内に収容可能な深皿９と、を備え、深皿９が蓋体４７を備えることにより、深皿９に収容した被調理物をオーブン加熱する場合であっても、従来の焼き物だけでなく、煮込みや茹で料理等の各種調理、さらには白米の炊飯も手軽に行なうことが可能になり、オーブンタイプの加熱調理器として、新しい調理のスタイルを顧客に提案することができる。
【００６４】
また、本実施形態では、調理室２に深皿９を収納したときに、深皿９の下方に熱風が循環可能な空間を設けたことにより、深皿９を下方からも確実に加熱することができる。また、調理室２内の熱風の循環を良くすることができるため、調理室２に収納した深皿９及び蓋体４７を全体的に加熱することができる。
【００６５】
また、本実施形態では、調理室２内を１５０℃以上に加熱可能であることにより、深皿９及び蓋体４７を使用して白米を炊飯することができる。
【００６６】
また、本実施形態では、調理室２内の温度と調理室２内に収納した深皿９及び蓋体４７の温度とを検出する庫内温度検出手段３４及び庫内温度分布検出手段３５を備え、庫内温度分布検出手段３５により検出した温度に基づいて熱風ユニット１３を制御する加熱制御が可能であり、白米の炊飯工程である予熱、加熱、沸騰継続、炊き上げ及び蒸らしの各工程時間と前記加熱制御により白米の炊飯を行う構成としたことにより、食味の良いご飯を炊くことができる。
【００６７】
また、本実施形態では、熱風ユニット１３が空気を加熱する熱風ヒータ１４と、熱風を調理室２内に流入させる熱風ファン１５と、を備え、前記加熱制御を熱風ヒータ１４による加熱量及び熱風ファン１５の回転数により行うことにより、熱風ヒータ１４への通電と熱風ファン１５を回転させる熱風モータ１６への通電の制御という簡易な制御により前記加熱制御を行うことができる。
【００６８】
また、本実施形態では、炊飯量選択手段を備え、前記炊飯量に応じて前記加熱制御のパターンを変更可能であることにより、炊飯量に応じた適切な加熱により食味の良いご飯を炊くことができる。
【００６９】
また、本実施形態では、調理室２の天井壁２ａの内面をドーム状に形成したことにより、調理室２内部で熱風の循環が良くなり、被調理物を効率良く加熱することができる。
【００７０】
なお、本発明は上記実施例に限定されるものではなく、本発明の趣旨を逸脱しない範囲で種々の変更可能である。例えば、深皿に炊飯のための水位目盛を設けてもよい。
【符号の説明】
【００７１】
２  調理室
２ａ  天井壁
９  深皿（皿）
１３  熱風ユニット
１４  熱風ヒータ（加熱手段）
１５  熱風ファン
３４  庫内温度検出手段（温度検出手段）
３５  庫内温度分布検出手段（温度検出手段）
４７  蓋体
【図１】
2019027702.tif 000003
【図２】
2019027702.tif 000004
【図３】
2019027702.tif 000005
【図４】
2019027702.tif 000006
【図５】
2019027702.tif 000007
【図６】
2019027702.tif 000008
【図７】
2019027702.tif 000009
【図８】
2019027702.tif 000010
【図９】
2019027702.tif 000011
【図１０】
2019027702.tif 000012
【図１１】
2019027702.tif 000013
【図１２】
2019027702.tif 000014
【図１３】
2019027702.tif 000015
【図１４】
2019027702.tif 000016
【図１５】
2019027702.tif 000017